(57)【特許請求の範囲】
【請求項１】
シリンダ錠（２０）が備えるインナシリンダ（２７）に設けられるキー孔（２８）に対応した挿入孔（２９）を有して前記シリンダ錠（２０）のシリンダボディ（２１）に固定されるケーシング（２２）と、前記挿入孔（２９）を閉鎖する閉鎖位置ならびに前記挿入孔（２９）を開放する開放位置間で前記キー孔（２８）の軸線に直交する平面に沿って作動することを可能として前記ケーシング（２２）内に収納されるシャッター板（３４）と、施錠時には前記シャッター板（３４）を前記閉鎖位置で保持するとともに解錠時に前記シャッター板（３４）を前記閉鎖位置から前記開放位置に操作することを可能としたマグネット錠（３５）とを備え、メカニカルキー（３３）を前記キー孔（２８）から引き抜くのに応じて前記シャッター板（３４）が前記開放位置から前記閉鎖位置に自動的に復帰するようにしたシリンダ錠の保護装置において、前記シャッター板（３４）を前記閉鎖位置側に付勢するようにして前記ケーシング（２２）および前記シャッター板（３４）間に設けられる弾発部材（５７）と、前記開放位置にある前記シャッター板（３４）に係合して該シャッター板（３４）を開放位置に保持し得る第１および第２係合部材（５８，５９）を有するシャッター板保持手段（６０）とが、前記キー孔（２８）の軸線と直交する平面に沿って作動するようにして前記ケーシング（２２）内に収容され、前記シャッター板保持手段（６０）は、前記シャッター板（３４）が開放位置にある状態での前記キー孔（２８）への前記メカニカルキー（３３）の非挿入時に第１係合部材（５８）を前記シャッター板（３４）に係合して該シャッター板（３４）を開放位置に保持し、前記キー孔（２８）への前記メカニカルキー（３３）の挿入に応じて第２係合部材（５９）を前記シャッター板（３４）に係合させて該シャッター板（３４）を開放位置に保持するとともに第１係合部材（５８）の前記シャッター板（３４）への係合を解除し、前記キー孔（２８）からの前記メカニカルキー（３３）の引き抜きに応じて第２係合部材（５９）の前記シャッター板（３４）への係合を解除するように構成されることを特徴とするシリンダ錠の保護装置。
【発明の詳細な説明】
【技術分野】
【０００１】
本発明は、シリンダ錠が備えるインナシリンダに設けられるキー孔に対応した挿入孔を有して前記シリンダ錠のシリンダボディに固定されるケーシングと、前記挿入孔を閉鎖する閉鎖位置ならびに前記挿入孔を開放する開放位置間で前記キー孔の軸線に直交する平面に沿って作動することを可能として前記ケーシング内に収納されるシャッター板と、施錠時には前記シャッター板を前記閉鎖位置で保持するとともに解錠時に前記シャッター板を前記閉鎖位置から前記開放位置に操作することを可能としたマグネット錠とを備え、メカニカルキーを前記キー孔から引き抜くのに応じて前記シャッター板が前記開放位置から前記閉鎖位置に自動的に復帰するようにしたシリンダ錠の保護装置に関する。
【背景技術】
【０００２】
キー孔を閉鎖するシャッター板をマグネット錠の解錠に応じて開放位置に作動せしめた後、キー孔に挿入したメカニカルキーを引き抜くのに応じてシャッター板が閉鎖位置に自動的に復帰するようにして、操作性を高め、閉め忘れがないようにしたシリンダ錠の保護装置が、たとえば特許文献１で既に知られている。
【特許文献１】特開２００５−０７６２０４号公報
【発明の開示】
【発明が解決しようとする課題】
【０００３】
ところが、上記特許文献１で開示されるものでは、シャッター板を開放位置に保持する部材が、キー孔の軸線に沿う方向に移動する構造となっているので、ケーシングがキー孔の軸線に沿う方向に大型化し、それに伴ってメカニカルキーも長く形成する必要が生じる。
【０００４】
本発明は、かかる事情に鑑みてなされたものであり、キー孔からのメカニカルキーの引き抜きに応じてシャッター板を開放位置から閉鎖位置に自動的に復帰させるようにした上で、メカニカルキーを長く形成することを不要としてコンパクトに構成されたシリンダ錠の保護装置を提供することを目的とする。
【課題を解決するための手段】
【０００５】
上記目的を達成するために、本発明は、シリンダ錠が備えるインナシリンダに設けられるキー孔に対応した挿入孔を有して前記シリンダ錠のシリンダボディに固定されるケーシングと、前記挿入孔を閉鎖する閉鎖位置ならびに前記挿入孔を開放する開放位置間で前記キー孔の軸線に直交する平面に沿って作動することを可能として前記ケーシング内に収納されるシャッター板と、施錠時には前記シャッター板を前記閉鎖位置で保持するとともに解錠時に前記シャッター板を前記閉鎖位置から前記開放位置に操作することを可能としたマグネット錠とを備え、メカニカルキーを前記キー孔から引き抜くのに応じて前記シャッター板が前記開放位置から前記閉鎖位置に自動的に復帰するようにしたシリンダ錠の保護装置において、前記シャッター板を前記閉鎖位置側に付勢するようにして前記ケーシングおよび前記シャッター板間に設けられる弾発部材と、前記開放位置にある前記シャッター板に係合して該シャッター板を開放位置に保持し得る第１および第２係合部材を有するシャッター板保持手段とが、前記キー孔の軸線と直交する平面に沿って作動するようにして前記ケーシング内に収容され、前記シャッター板保持手段は、前記シャッター板が開放位置にある状態での前記キー孔への前記メカニカルキーの非挿入時に第１係合部材を前記シャッター板に係合して該シャッター板を開放位置に保持し、前記キー孔への前記メカニカルキーの挿入に応じて第２係合部材を前記シャッター板に係合させて該シャッター板を開放位置に保持するとともに第１係合部材の前記シャッター板への係合を解除し、前記キー孔からの前記メカニカルキーの引き抜きに応じて第２係合部材の前記シャッター板への係合を解除するように構成されることを特徴とする。
【０００６】
なお実施例の戻しばね５７が本発明の弾発部材に対応する。
【発明の効果】
【０００７】
本発明の上記構成によれば、マグネット錠を解錠してシャッター板を閉鎖位置から開放位置に作動せしめると、第１係合部材がシャッター板に係合し、キー孔にメカニカルキーを挿入することで第２係合部材がシャッター板に係合して第１係合部材のシャッター板への係合が解除されるので、メカニカルキーがキー孔に挿入されている限り、シャッター板は開放位置に保持される。またメカニカルキーをキー孔から引き抜くと、第２係合部材のシャッター板への係合が解除されるので、シャッター板は弾発部材の弾発力によって開放位置から閉鎖位置に自動的に復帰することになる。すなわちキー孔に挿入したメカニカルキーを引き抜くのに応じてシャッター板が閉鎖位置に自動的に復帰するので、操作性を高め、閉め忘れがないようにすることができる。
【０００８】
しかもシャッター板を閉鎖位置側に付勢する弾発部材と、第１および第２係合部材を有するシャッター板保持手段とが、キー孔の軸線に直交する平面に沿って作動するようにしてケーシングに収容されるので、キー孔の軸線に沿う方向でケーシングをコンパクトに構成することができ、それに応じてメカニカルキーの長さも短くすることができる。
【発明を実施するための最良の形態】
【０００９】
以下、本発明の実施の形態を、添付の図面に示した本発明の一実施例に基づいて説明する。
【００１０】
図１〜図１６は本発明の一実施例を示すものであり、図１はオフ位置にあるキー孔がシャッター板で閉鎖された状態でのシリンダ錠の保護装置の正面図、図２は図１の２−２線断面図、図３はシリンダ錠の保護装置の分解斜視図、図４はメカニカルキーおよびマグネットキの一部切欠き側面図、図５は図２の５−５線断面図、図６は図２の６−６線断面図、図７は図１の７−７線拡大断面図、図８は図２の８−８線断面図、図９はシャッター板が開放位置にあるとともにオフ位置のキー孔にメカニカルキーを差し込んでいない状態での図５に対応した断面図、図１０はシャッター板が開放位置にあるとともにオフ位置のキー孔にメカニカルキーを差し込んでいない状態での図６に対応した断面図、図１１はシャッター板が開放位置にあるとともにオフ位置のキー孔にメカニカルキーを差し込んでいない状態での図７に対応した断面図、図１２はオフ位置のキー孔にメカニカルキーを差し込んだ状態での図５に対応した断面図、図１３はオフ位置のキー孔にメカニカルキーを差し込んだ状態での図６に対応した断面図、図１４はオフ位置のキー孔にメカニカルキーを差し込んだ状態での図７に対応した断面図、図１５はキー孔にメカニカルキーを差し込んだままロック位置に回動したときの図６に対応した断面図、図１６はロック位置でキー孔からメカニカルキーを抜き出した状態での図６に対応した断面図である。
【００１１】
先ず図１および図２において、車両たとえば自動二輪車用のシリンダ錠２０のシリンダボディ２１は車体フレームのヘッドパイプ（図示せず）に設けられており、このシリンダボディ２１の前端部はケーシング２２で覆われる。該ケーシング２２は、シリンダボディ２１の前端部に取付けられる非磁性材料製のケース部材２３と、該ケース部材２３に取付けられる非磁性材料製のカバー部材２４と、前記ケース部材２３を前記カバー部材２４との間に挟む平板状の背板２５とを備え、ケース部材２３、カバー部材２４および背板２５が、複数たとえば２つのねじ部材２６，２６で締結されることによりケーシング２２が構成され、ケーシング２２は前記シリンダボディ２１に固定される。
【００１２】
前記シリンダ錠２０は、前記シリンダボディ２１に回動可能に挿入されるインナシリンダ２７を有しており、このインナシリンダ２７には、その回動軸線と直交する方向に長い矩形状のキー孔２８が設けられ、該キー孔２８は、シリンダ錠２０の前端中央部に開口される。
【００１３】
図３を併せて参照して、前記ケーシング２２には、前記キー孔２８に対応した挿入孔２９が設けられる。この挿入孔２９は、ケース部材２３およびカバー部材２４にそれぞれ同軸に設けられた円形の第１および第２透孔３０，３１で構成されており、カバー部材２４に設けられた第２透孔３１の外端部はメカニカルキー３３（図４参照）の挿入を容易とするためにテーパ状に形成される。また背板２５には、ケース部材２３およびカバー部材２４の第１および第２透孔３０，３１よりも大径である嵌合孔３２が前記第１および第２透孔３０，３１に対応して設けられる。
【００１４】
前記ケーシング２２内の前記ケース部材２３および前記カバー部材２４間には、前記挿入孔２９およびキー孔２８を閉鎖する閉鎖位置ならびに前記挿入孔２９およびキー孔２８を開放する開放位置間で、前記キー孔２８の軸線に直交する平面に沿うように作動することを可能としたシャッター板３４が収納される。
【００１５】
このシャッター板３４の閉鎖位置から開放位置までの作動は、ケーシング２２に配設されるマグネット錠３５が備える嵌合凹部３６に、マグネットキー３７を嵌合することで許容されるものであり、マグネット錠３５は、前記シャッター板３４とは別体に形成されるロータ３８を備え、該ロータ３８に前記嵌合凹部３６が形成される。
【００１６】
ケーシング２２のケース部材２３には、前記挿入孔２９から離隔した位置でカバー部材２４側に突出した横断面円形の支持突部３９が一体に突設されており、該支持突部３９に対応する部分でカバー部材２４には円形の開口部４０が設けられる。
【００１７】
図５を併せて参照して、前記ロータ３８は、前記支持突部３９の先端に対向する対向壁部３８ａを軸方向中間部に有する略円筒状のロータ主部３８ｂと、該ロータ主部３８ｂから外側方に延びる連結腕部３８ｃとを一体に有して非磁性材料により形成されており、前記連結腕部３８ｃの先端部には、長孔状の連結孔４１が設けられる。前記ロータ主部３８ｂの内端側には前記支持突部３９が嵌合されるものであり、該ロータ主部３８ｂは、Ｏリング４５を支持突部３９の基部との間に介在させて該支持突部３９で回動可能に支承される。しかもロータ主部３８ｂの外端は前記開口部４０に臨むように配置され、ロータ主部３８ｂの外端部が前記嵌合凹部３６を形成する。
【００１８】
前記ロータ３８の前記嵌合凹部３６は、変則多角形の横断面形状を有するように形成され、また嵌合凹部３６の略中心部には突部４２が突設される。而して嵌合凹部３６の横断面形状に対応した横断面形状を有するとともに前記突部４２を嵌合せしめる凹部４３を有するマグネットキー３７のみを嵌合凹部３６に嵌合可能であり、このマグネットキー３７は、図４で示すように、前記キー孔２８に挿入可能な正規のメカニカルキー３３に設けられた把持部４４に付設される。
【００１９】
前記支持突部３９の先端には、たとえば正方形の各角部に対応した複数個たとえば４個の摺動凹部４７…が、ロータ３８の対向壁３８ａ側に開口するようにして設けられており、各摺動凹部４７…のうち選択された３つの摺動凹部４７…には、前記対向壁部３８ａ側の磁極配置が適宜の組み合わせとなるようにして棒状の永久磁石４８…がそれぞれ摺動可能に嵌合され、３つの前記摺動凹部４７…の底部および各永久磁石４８…間には、各永久磁石４８…を支持突部３９の先端から突出させる側にばね付勢するばね４９…がそれぞれ介設される。
【００２０】
ロータ３８の対向壁部３８ａには、４つの係合凹部５０…が設けられており、それらの係合凹部５０…のうちの３つに前記各永久磁石４８…の一部がそれぞれ係合している状態では、ロータ３８の回動作動が阻止されることになる。
【００２１】
一方、マグネットキー３７には、前記ロータ３８の対向壁部３８ａに設けられる４つの係合凹部５０…に対応した位置に配置される複数個たとえば４個の収容凹部５１…がロータ３８の対向壁部３８ａ側に開口するようにして設けられ、各収容凹部５１…のうちの３つには棒状の永久磁石５２…がそれぞれ収容される。また各収容凹部５１…の開口端は、マグネットキー３７に固定される非磁性材料製の閉塞板５３で閉じられる。
【００２２】
マグネットキー３７に配設される各永久磁石５２…は、支持突部３９側の各永久磁石４８…の前記対向壁部３８ａ側の磁極と同一の磁極が対向壁部３８ａ側に配置されるようにして収容凹部５１…に収容されるものであり、正規のマグネットキー３７が嵌合凹部３６に嵌合されたときには、同一磁極の反発力によって、支持突部３９側の永久磁石４８…はばね４９…のばね力に抗して係合凹部５２…から離脱するように摺動凹部４７…に押し込まれ、これによりロータ３８の回動作動が許容されることになる。
【００２３】
シャッター板３４は、前記挿入孔２９を閉鎖し得る平板状のシャッター主部３４ａと、該シャッター主部３４ａから前記ロータ３８の連結腕部３８ｃ側に延びる連結腕部３４ｂと、前記挿入孔２９および前記開口部４０と反対側で前記シャッター主部３４ａに直角に連設されるガイド部３４ｃとを一体に有するものであり、連結腕部３４ｂには前記ロータ３８の連結腕部３８ｃの連結孔４１に挿入される連結ピン５４が一体に突設される。
【００２４】
図６を併せて参照して、前記ガイド部３４ｃは、前記ケース部材２３に設けられるガイド溝５５に摺動可能に嵌合されるものであり、前記ガイド部３４ｃおよび前記ガイド溝５５は、マグネットキー３７が嵌合凹部３６に嵌合されることでマグネット錠３５が解錠した状態でマグネットキー３７を操作してロータ３８を回動操作することにより、前記シャッター板３４が、前記挿入孔２９を閉鎖する閉鎖位置ならびに前記挿入孔２９を開放する開放位置間で、前記キー孔２８の軸線に直交する平面に沿うようにして矢印５６（図５参照）で示す作動方向に作動するのをガイドすべく、前記作動方向５６に沿って長く形成される。しかも前記シャッター板３４のガイド部３４ｃおよびケース部材２３間には弾発部材であるコイル状の戻しばね５７が縮設され、ガイド溝５５に収容される戻しばね５７が発揮する弾発力によって、シャッター板３４は閉鎖位置側に付勢される。
【００２５】
ところでシリンダ錠２０のインナシリンダ２７は、そのキー孔２８に挿入されたメカニカルキー３３の操作によって、ロック（ＬＯＣＫ）位置からオフ（ＯＦＦ）位置を経てオン（ＯＮ）位置に回動することが可能であり、オン位置で図示しないエンジンに点火することができる。ケーシング２２のカバー部材２４において、挿入孔２９すなわち第２透孔３１の周囲には、図１で示すように、ＬＯＣＫ、ＯＦＦおよびＯＮの各位置が表示されており、前記インナシリンダ２７は、横断面矩形状であるキー孔２８の横断面長手方向を前記ＬＯＣＫ、ＯＦＦおよびＯＮの各位置に合わせることによって、ロック位置、オフ位置およびオン位置に位置することになる。而してロック位置は、図示しないステアリングハンドルをロック状態とするものであり、シリンダ錠２０には、ロック位置およびオフ位置間でのインナシリンダ２７の回動にあたってはメカニカルキー３３のプッシュ操作を必要とする機構（図示せず）が設けられる。またインナシリンダ２７がロック位置にあるとき、インナシリンダ２７がオフ位置にあるときのいずれの状態でも、メカニカルキー３３のキー孔２８に対する挿脱操作が可能である。
【００２６】
前記ケーシング２２内には、前記戻しばね５７と、開放位置にある前記シャッター板３４に係合して該シャッター板３４を開放位置に保持し得る第１および第２係合部材５８，５９を有するシャッター板保持手段６０とが、前記キー孔２８の軸線と直交する平面に沿って作動するようにして収容される。
【００２７】
前記シャッター板保持手段６０は、前記シャッター板３４が開放位置にある状態での前記キー孔２８に前記メカニカルキー３３が挿入されていない状態で前記シャッター板３４に係合して該シャッター板３４を開放位置に保持する第１係合部材５８と、前記シャッター板３４が開放位置にある状態での前記キー孔２８への前記メカニカルキー３３の挿入に応じて前記シャッター板３４に係合して該シャッター板３４を開放位置に保持するとともに第１係合部材２８の前記シャッター板３４への係合を解除せしめる第２係合部材５９と、前記ケーシング２２に回動可能に保持される回動部材６１と、前記キー孔２８へのメカニカルキー３３の挿入に応じて第２係合部材５９を前記シャッター板３４に係合させる位置に押圧駆動するようにして前記回動部材６１にスライド可能に保持されるプッシュプレート６２とを備える。
【００２８】
前記回動部材６１は、前記背板２５の嵌合孔３２に回動可能に嵌合される円板部６１ａと、該円板部６１ａにおける前記ケース部材２３側の前面外周部に相互に１８０度の間隔をあけて突設される一対のガイド壁部６１ｂ，６１ｂとを一体に有するものであり、両ガイド壁部６１ｂ…の外側面は、前記円板部６１ａの外周よりもわずかに外側方に突出しており、前記嵌合孔３２の直径よりもわずかに大きな直径の仮想円に沿うように円弧状に形成される。しかも前記ケーシング２２のケース部材２３には、シリンダ錠２０側に開放した円形の支持凹部６３が、前記挿入孔２９における第１透孔３０と同軸に設けられており、この支持凹部６３に前記両ガイド壁部６１ｂ…が回動可能に嵌合される。而して回動部材６１は、前記両ガイド壁部６１ｂ…の前記円板部６１ａからの突出部を前記嵌合孔３２の周囲で前記背板２５に摺接、係合するようにして前記背板２５および前記ケース部材２３間で回動可能に保持され、前記回動部材６１における円板部６１ａの前面は前記背板２５の前面と面一となる。
【００２９】
また回動部材６１における円板部６１ａには、前記シリンダ錠２０側に突出する一対の連結軸部６１ｃ，６１ｃ（図２参照）が一体に設けられており、それらの連結軸部６１ｃ…が、シリンダ錠２０のインナシリンダ２７に嵌合することにより、回動部材６１がインナシリンダ２７に相対回動不能に連結される。
【００３０】
図７を併せて参照して、前記回動部材６１には、その円板部６１ａの前面および両ガイド壁部６１ｂ…の内側面によって、回動部材６１の一直径方向に沿って延びる摺動溝６４が形成されるものであり、前記シリンダ錠２０のキー孔２８に対応して横断面矩形状に形成される第３透孔６５が前記摺動溝６４の中央部に開口するようにして前記円板部６１ａに設けられ、第３透孔６５は前記キー孔２８および前記挿入孔２９間に介在することになる。
【００３１】
前記プッシュプレート６２は、前記回動部材６１の摺動溝６４にスライド可能に嵌合されて前記回動部材６１および前記ケース部材２３間に挟まれており、このプッシュプレート６２は、前記回動部材６１における両ガイド壁部６１ｂ…の外側面と同一曲率半径で形成された円弧面６２ａ，６２ｂを前記摺動溝６４の長手方向両端に有して前記摺動溝６４の長さよりも短く形成される。而してプッシュプレート６２は、その長手方向一端の円弧面６２ａを前記両ガイド壁部６１ｂ…の外側面に面一に連ならせるとともに長手方向他端の円弧面６２ｂが円板部６１ａの外周面よりも内方に位置する非押圧位置（図６で示す位置）と、長手方向他端の円弧面６２ｂを回動部材６１における両ガイド壁部６１ｂ…の外側面に面一に連ならせるとともに長手方向一端の円弧面６２ａが前記円板部６１ａの外周面よりも内方に位置する押圧位置との間でスライドすることを可能として、前記摺動溝６４に嵌合される。
【００３２】
しかも前記プッシュプレート６２には、前記摺動溝６４の長手方向に沿う方向に長く延びて前記第３透孔６５の両側に配置される一対の収容溝６６，６６が、回動部材６１の円板部６１ａ側に開口するようにして設けられる。これらの収容溝６６，６６には、前記回動部材６１の円板部６１ａに一体に突設される突部６７，６７が突入されるとともに、収容溝６６…の一端および前記突部６７…間にそれぞれ縮設されるコイルばね６８，６８が収容されており、プッシュプレート６２は、前記両コイルばね６８…が発揮するばね力によって非押圧位置側に付勢される。
【００３３】
前記プッシュプレート６２には、その押圧位置で前記回動部材６１の第３透孔６５と重なる第４透孔６９が設けられており、この第４透孔６９は、プッシュプレート６２が非押圧位置にある状態では、回動部材６１の前記第３透孔６５の一部がプッシュプレート６２で塞がれる位置で前記プッシュプレート６１に設けられる。しかも第４透孔６９の前記挿入孔２９側の部分には、プッシュプレート６２が非押圧位置にある状態で挿入孔２９に挿入されたメカニカルキー３３の先端部を当接させて第３透孔６５側に案内する円弧状のガイド面６９ａが形成されており、前記キー孔２８に挿入すべく挿入孔２９に押し込んだ前記メカニカルキー３３の先端部が前記ガイド面６９ａに当接することにより、前記第３透孔６５を開放すべく押圧位置側に向けての力が前記プッシュプレート６２に作用するものであり、挿入孔２９に挿入されて前記ガイド面６９ａに当接したメカニカルキー３３は、プッシュプレート６２をコイルばね６８…のばね力に抗して押圧位置側に押し退けるようにして前記第３透孔６５から第４透孔６９を経てキー孔２８に挿入されることになる。
【００３４】
図８を併せて参照して、第１および第２係合部材５８，５９は、前記ガイド溝５５を直角に横切るとともにプッシュプレート６２の摺動方向と斜めに交差して前記回動部材６１の中心からずれた位置を横切るように設定された直線Ｌに沿って移動することを可能としてケース部材２３に嵌合される。しかも前記直線Ｌは、シリンダ錠２０のインナシリンダ２７および回動部材６１がロック位置にあるときにはプッシュプレート６２の長手方向他端側の円弧面６２ｂの周方向一端側を通り、シリンダ錠２０のインナシリンダ２７および回動部材６１がオフ位置にあるときにはプッシュプレート６２の長手方向他端側の円弧面６２ｂの周方向他端側を通るように設定される。
【００３５】
前記ケーシング２２におけるケース部材２３の前記背板２５側に臨む面には、前記直線Ｌに沿う外端が閉じられるとともに内端が前記ガイド溝５５よりも内方に位置する第１ガイド凹部７１と、前記直線Ｌに沿う外端が前記ガイド溝５５の略幅方向中心位置に位置するとともに内端が支持凹部６３の内面に開口して第１ガイド凹部７１よりも幅を狭くした第２ガイド凹部７２とが前記直線Ｌに沿うように設けられる。第１ガイド凹部７１の深さは、ケース部材２３に設けられたガイド溝５５を横切ることがないように設定され、前記ガイド溝５５の一部を横切る第２ガイド凹部７２の深さは前記支持凹部６３の深さと同一に設定されており、第１および第２ガイド凹部７１，７２の開放端は前記背板２５で閉じられる。
【００３６】
また前記ケース部材２３には、第１ガイド凹部７１の外端側ならびに前記ケース部材２３の前記背板２５とは反対側の面間にわたるガイド孔７３が第１ガイド凹部７１よりも幅を狭くしつつ前記直線Ｌに沿って設けられており、このガイド孔７３の前記直線Ｌに沿う外端は第１ガイド凹部７１の外端と同一に設定され、ガイド孔７３の前記直線Ｌに沿う内端は前記ガイド溝５５の側面に開口される。
【００３７】
第１係合部材５８は、第１ガイド凹部７１に摺動可能に嵌合されるブロック状の摺動部５８ａと、該摺動部５８ａに一体に連設されてガイド孔７３に摺動可能に嵌合される角柱状の係合部５８ｂとから成り、前記摺動部５８ａおよびケース部材２３間には、第１係合部材５８を回動部材６１に近接させる側に付勢するコイルばね７４が縮設される。また第２係合部材５９は、短円柱状に形成されるものであり、第２ガイド凹部７２に摺動可能に嵌合される。
【００３８】
一方、前記シャッター板３４のシャッター主部３４ａは、前記ガイド溝５５に関して前記挿入孔２９と反対側に位置して前記作動方向５６に沿って延びる摺接面３４ｄを有しており、シャッター板３４が開放位置に移動したときに第１係合部材５８の係合部５８ｂを係合させる第１係止凹部７５が前記摺接面３４ｄに形成される。また前記シャッター板３４のガイド部３４ｃには、シャッター板３４が開放位置に移動したときに第２係合部材５９を係合させ得る第２係止凹部７６が形成されており、第２係合部材５９が第２係止凹部７６に係合すると、第２係合部材５９が第１係合部材５８の摺動部５８ａに当接することで、第１係合部材５８は、コイルばね７４のばね力に抗して第１係止凹部７５から係合部５８ｂを離脱させる位置まで押圧駆動され、第１係合部材５８のシャッター板３４への係合が解除されることになる。しかも第２係止凹部７６は、第２係合部材５９の第２係止凹部７６への係合時に第１係止凹部７５が第２係合部材５８の係合部５８ｂからずれる位置までシャッター板３４が戻しばね５７のばね力によってわずかに閉鎖位置側に移動するように形成されており、第２係合部材５９の第２係止凹部７６への係合が解除されてシャッター板３４が閉鎖位置側に移動する際には前記係合部５８ｂはシャッター板３４の摺接面３４ｄに摺接するだけで第１係止凹部７５に係合することはない。また第２係止凹部７６は、第２係止凹部７６に係合させる側に第２係合部材５９に作用していた力が解放されたときには、戻しばね５７のばね力によって第２係合部材５９を第２係止凹部７５から押し退けるように形成されている。
【００３９】
ところでシャッター板３４が図５および図６で示すように閉鎖位置にある状態では、第１係合部材５８の係合部５８ｂはシャッター板３４の摺接面３４ｄに当接した状態にあり、第２係合部材５９は第１係合部材５８の摺動部５８ａに接触しておらず、第２係合部材５９は、非押圧位置にあるプッシュプレート６２の円弧面６２ｂと、シャッター板３４のガイド部３４ｃとの間にある。
【００４０】
ここでシリンダ錠２０のインナシリンダ２７がオフ位置にあってシャッター板３４が閉鎖位置にある状態から、マグネット錠３５を解錠してシャッター板３４を開放位置に作動せしめ、さらにメカニカルキー３３をキー孔２８に差し込んでオン位置まで回動した後、ロック位置まで戻してメカニカルキー３３を引き抜くまでの間の各部品の作動状態を説明すると、マグネット錠３５を解錠した後にシャッター板３４を閉鎖位置から開放位置に作動せしめると、図９〜図１１で示すように、シャッター板３４におけるガイド部３４ｃの移動によって第１係合部材５８は、コイルばね７４のばね力によって係合部５８ｂを第１係止凹部７５に係合させるように移動し、第２係合部材５９は、非押圧位置にあるプッシュプレート６２の円弧面６２ｂと、シャッター板３４のガイド部３４ｃとの間にあり、回動部材６１の第３透孔６５の一部はプッシュプレート６２で塞がれている。
【００４１】
次いでメカニカルキー３３を挿入孔２９に挿入し、図１２〜図１４で示すように、プッシュプレート６２の第４透孔６９にメカニカルキー３３を差し込むと、メカニカルキー３３によってプッシュプレート６２は押圧位置側に移動し、プッシュプレート６２の円弧面６２ｂの周方向他端側が当接することで第２係合部材５９がシャッター板３４の第２係止凹部７６に係合する位置まで移動し、第１係合部材５８のシャッター板３４への係合が解除され、第１係合部材５８の係合部５８ｂはシャッター板３４の摺接面３４ｄに当接する。このようにしてメカニカルキー３３の挿入に応じて第２係合部材５９が係合することにより、シャッター板３４が開放位置に保持される。
【００４２】
また回動部材６１およびインナシリンダ２７がロック位置にある状態でメカニカルキー３３をプッシュプレート６２の第４透孔６９に挿入したときには、押圧位置に移動するプッシュプレート６２の円弧面６２ｂの周方向一端側が当接することで第２係合部材５９がシャッター板３４の第２係止凹部７６に係合する位置まで移動し、第１係合部材５８のシャッター板３４への係合が解除される。したがってシャッター板３４は開放位置に保持されることになり、メカニカルキー３３でオフ位置に回動操作すると、回動部材６１が回動するのに応じてプッシュプレート６２は円弧面６２ｂを第２係合部材５９に摺接させて回動し、オフ位置では円弧面６２ｂの周方向他端が第２係合部材５９に当接した状態となる。
【００４３】
さらにキー孔２８に挿入したメカニカルキー３３による操作で回動部材６１およびインナシリンダ２７をオフ位置からオン位置まで回動すると、第２係合部材５９は、回動部材６１の両ガイド壁部６１ｂ…の一方の外側面に当接することになり、第２係合部材５９の第２係止凹部７６への係合状態は維持される。
【００４４】
図１５で示すように、キー孔２８に挿入したメカニカルキー３３でロック位置まで戻した状態では、第２係合部材５９は押圧位置にあるプッシュプレート６２の円弧面６２ｂにおける周方向一端側に当接した状態にあり、第２係合部材５９の第２係止凹部７６への係合状態は維持される。
【００４５】
さらに図１６で示すように、キー孔２８からメカニカルキー３３を抜き出すと、プッシュプレート６２は、コイルばね６８…のばね力によって非押圧位置に戻されることになり、第２係止凹部７６に係合させる側に第２係合部材５９に作用していた力が解放されるので、シャッター板３４は、第２係合部材５９を第２係止凹部７６から離脱させながら戻しばね５７のばね力によって閉鎖位置まで自動的に戻ることになる。この際、第２係合部材５９の第２係止凹部７６への係合状態では第１係合部材５８の係合部５８ｂはシャッター板３４の摺接面３４ｄに当接する位置にあるので、第２係合部材５９の第２係止凹部７６への係合が解除されても第１係合部材５８がシャッター板３４に係合することはなく、シャッター板３４は閉鎖位置までスムーズに移動することになる。
【００４６】
オフ位置でメカニカルキー３３を抜き出したときには、上述のロック位置でのメカニカルキー３３の抜き出し時と同様にシャッター板保持手段６０が作動し、シャッター板３４は閉鎖位置に自動的に戻ることになる。
【００４７】
このようにしてシャッター板保持手段６０は、シャッター板３４が開放位置にある状態でのキー孔２８へのメカニカルキー３３の非挿入時には第１係合部材５８をシャッター板３４に係合して該シャッター板３４を開放位置に保持し、ロック位置またはオフ位置でのキー孔２８へのメカニカルキー３３の挿入に応じて第２係合部材５９をシャッター板３４に係合させて該シャッター板３４を開放位置に保持するとともに第１係合部材５８のシャッター板３４への係合を解除し、オフ位置またはロック位置でのキー孔２８からのメカニカルキー３３の引き抜きに応じて第２係合部材５９のシャッター板３４への係合を解除することになる。
【００４８】
次にこの実施例の作用について説明すると、マグネット錠３５を解錠してシャッター板３４を閉鎖位置から開放位置に作動せしめると、第１係合部材５８がシャッター板３４に係合し、キー孔２８にメカニカルキー３３を挿入することで第２係合部材５９がシャッター板３４に係合して第１係合部材５８のシャッター板３４への係合が解除されるので、メカニカルキー３３がキー孔２８に挿入されている限り、シャッター板３４は開放位置に保持される。またメカニカルキー３３をキー孔２８から引き抜くと、第２係合部材５９のシャッター板３４への係合が解除されるので、シャッター板３４は戻しばね５７のばね力によって開放位置から閉鎖位置に自動的に復帰することになる。すなわちキー孔２８に挿入したメカニカルキー３３を引き抜くのに応じてシャッター板３４が閉鎖位置に自動的に復帰するので、操作性を高め、閉め忘れがないようにすることができる。
【００４９】
しかもシャッター板３４を閉鎖位置側に付勢する戻しばね５７と、第１および第２係合部材５８，５９を有するシャッター板保持手段６０とが、キー孔２８の軸線に直交する平面に沿って作動するようにしてケーシング２２に収容されるので、キー孔２８の軸線に沿う方向でケーシング２２をコンパクトに構成することができ、それに応じてメカニカルキー３３の長さも短くすることができる。
【００５０】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００５１】
【図１】オフ位置にあるキー孔がシャッター板で閉鎖された状態でのシリンダ錠の保護装置の正面図である。
【図２】図１の２−２線断面図である。
【図３】シリンダ錠の保護装置の分解斜視図である。
【図４】メカニカルキーおよびマグネットキの一部切欠き側面図である。
【図５】図２の５−５線断面図である。
【図６】図２の６−６線断面図である。
【図７】図１の７−７線拡大断面図である。
【図８】図２の８−８線断面図である。
【図９】シャッター板が開放位置にあるとともにオフ位置のキー孔にメカニカルキーを差し込んでいない状態での図５に対応した断面図である。
【図１０】シャッター板が開放位置にあるとともにオフ位置のキー孔にメカニカルキーを差し込んでいない状態での図６に対応した断面図である。
【図１１】シャッター板が開放位置にあるとともにオフ位置のキー孔にメカニカルキーを差し込んでいない状態での図７に対応した断面図である。
【図１２】オフ位置のキー孔にメカニカルキーを差し込んだ状態での図５に対応した断面図である。
【図１３】オフ位置のキー孔にメカニカルキーを差し込んだ状態での図６に対応した断面図である。
【図１４】オフ位置のキー孔にメカニカルキーを差し込んだ状態での図７に対応した断面図である。
【図１５】キー孔にメカニカルキーを差し込んだままロック位置に回動したときの図６に対応した断面図である。
【図１６】ロック位置でキー孔からメカニカルキーを抜き出した状態での図６に対応した断面図である。
【符号の説明】
【００５２】
２０・・・シリンダ錠
２１・・・シリンダボディ
２２・・・ケーシング
２７・・・インナシリンダ
２８・・・キー孔
２９・・・挿入孔
３４・・・シャッター板
３５・・・マグネット錠
５７・・・弾発部材である戻しばね
５８・・・第１係合部材
５９・・・第２係合部材
６０・・・シャッター板保持手段
【図１】
0004939378.tif 000002
【図２】
0004939378.tif 000003
【図３】
0004939378.tif 000004
【図４】
0004939378.tif 000005
【図５】
0004939378.tif 000006
【図６】
0004939378.tif 000007
【図７】
0004939378.tif 000008
【図８】
0004939378.tif 000009
【図９】
0004939378.tif 000010
【図１０】
0004939378.tif 000011
【図１１】
0004939378.tif 000012
【図１２】
0004939378.tif 000013
【図１３】
0004939378.tif 000014
【図１４】
0004939378.tif 000015
【図１５】
0004939378.tif 000016
【図１６】
0004939378.tif 000017